(57)【特許請求の範囲】
【請求項１】
水道の管路内に取り付けられる水道用節水具において、上記管路の長手方向に沿って挿入される円柱状の節水部と、上記節水部の流入側端面の周縁部に形成されたフランジ部と、このフランジ部とは反対側の上記節水部の流出側端面側に形成され上記節水部の流入側端面に近い部分の外径よりも小さい径の小径部と、上記節水部の流入側端面から上記節水部の上記小径部の流出側端面近傍の側面を貫通した流路が設けられ、この流路の上記流入側端面から上記小径部近傍にかけて形成されているとともに上記節水部の外径に近い大開口の内径に形成され上記管路の長手方向に形成された第一流路と、上記第一流路底面から上記節水部の小径部の側面に向かって斜めに分岐し貫通した第二流路が形成され、上記第二流路は上記節水部の上記第一流路底部近傍から上記小径部の流出側端面近傍にかけて開口していることを特徴とする水道用節水具。
【発明の詳細な説明】
【０００１】
【発明の属する技術分野】
この発明は、水栓から吐出する流水量を減らす水道用節水具に関する。
【０００２】
【従来の技術】
従来、節水の目的で水栓の吐出管に水道用節水具を装着することが行われている。この水道用節水具には、円柱状の節水部と、この節水部の流入側端面の周縁部に形成されているフランジ部と、上記節水部に流入側端面と流出側端面を貫通する一対の細い流路が設けられている。上記一対の流路は、節水部の軸線に対していずれも斜めに設けられ、流入側端面はその中心近傍に開口し、流出側端面は流出部端面の周縁部寄りに開口している。
【０００３】
【発明が解決しようとする課題】
上記従来の技術の場合、節水部の流入側端面の流路入り口部が角部になっているため、水流が乱れて騒音や振動が発生することがあった。さらに、従来のこの水道用節水具は流路が細いため、水の流れがスムーズではなく、このことからも使用中に騒音と振動が発生しやすいものであった。
【０００４】
この発明は上記従来の問題点に鑑みてなされたものであり、整流効果が高く、吐水量を確実に少なくすることができ、騒音や振動の発生が少ない水道用節水具を提供することを目的とする。
【０００５】
【課題を解決するための手段】
この発明は、水栓の吐出管内部等の水道の管路内に装着される水道用節水具であり、上記吐出管の長手方向に沿って挿入される円柱状の節水部と、上記節水部の流入側端面の周縁部に形成されているフランジ部と、上記節水部の流入側端面から上記節水部の側面を貫通して形成されている流路が設けられている。上記流路は、その流入側に上記管路の長手方向に形成された第一流路と、上記第一流路から上記節水部の側面に向かって屈曲して分岐した第二流路とから成る。
【０００６】
【発明の実施の形態】
以下、この発明の実施形態について図面に基づいて説明する。図１〜図４は、この発明の第一実施形態を示し、この実施形態の水道用節水具１０は、円筒状の節水部１２が設けられ、節水部１２の流入側端面１４の周縁部には、節水部１２の方に突出するフランジ部１６が一周して形成されている。節水部１２の流出側端面１８に近い部分の外径は、流入側端面１４に近い部分の外径よりも小さい小径部３８となっている。
【０００７】
そして、節水部１２の軸方向に沿って、流入側端面１４から節水部１２の内側に達する第一流路２０が形成されている。第一流路２０は、流入側端面１４から流出側に向かって真っ直ぐに形成された一つの大開口の流路である。そして、第一流路２０の底部２０ａに、第一流路２０の軸方向に対して斜めに交差する２本の第二流路２２が互いに対称な位置に開口し、第二流路２２は小径部３８の端部側に貫通して形成されている。第一流路２０は、節水部１２の外径に近い大開口の内径に形成され、第二流路２２は、節水部１２の第一流路２０の底部２０ａ近傍から、小径部３８の流出側端面１８近傍にかけて、小径部３８の側面で開口している。
【０００８】
水道用節水具１０が取り付けられる水栓２４は、水道管等に連結される蛇口２６を有し、蛇口２６には水量を調節するハンドル２８が取り付けられている。蛇口２６の先端部２６ａには、長いほぼＺ字形の吐出管３０が袋ナット３２で取り付けられている。また、蛇口２６の先端部２６ａ内周面には、吐出管３０の端部３０ａが嵌合される段部３４が一周して形成されている。
【０００９】
この実施形態の水道用節水具１０の水栓２４への取り付け方法は、水道用節水具１０の節水部１２を吐出管３０の端部３０ａから差し込み、吐出管３０を蛇口２６の先端部２６ａに嵌入する。そして、袋ナット３２を締め付けて固定する。このとき、水道用節水具１０のフランジ部１６は、吐出管３０の端部３０ａと、蛇口２６の先端部２６ａに形成された段部３４の間で位置決めされる。
【００１０】
次に、この実施形態の水道用節水具１０の使用方法について説明する。水栓２４のハンドル２８を操作して水道水を蛇口２６に流すと、水道水は水道用節水具１０の第一流路２０に流れ、次に第二流路２２に分岐されて流れ、第二流路２２が開口した小径部３８の側面の開口に流れ出る。そして、水道用節水具１０の小径部３８の側面と管路である吐出管３０の内周面との間を通過し、吐出管３０を通過して端部開口から流れ落ちる。
【００１１】
この実施形態の水道用節水具１０は、簡単に水栓２４に取り付けることができ、水道水の水圧を抑え流量を減らして節水することができる。さらに、この水道用節水具１０は、流入側端面１４から第一流路２０を経て第二流路２２から吐出管３０の内壁に斜めに水が当たり、になめらかに水が流れ、水道水の流れが乱れることが少なく整流効果がある。このことにより、騒音や振動が発生せず、快適に使用することができる。
【００１２】
次に他の実施形態について図５，図６に基づいて説明する。ここで、上述の実施の形態と同様の部材は同一の符号を付して説明を省略する。この実施形態の水道用節水具３６は、円筒状の節水部１２が設けられ、節水部１２の流出側端面１８に近い部分は、流入側端面１４に近い部分よりも外径が小さい小径部３８が形成されている。
【００１３】
そして、節水部１２の軸方向に沿って、流入側端面１４から節水部１２の内側に達する第一流路４０が形成されている。第一流路４０の内周面は、流入側端面１４に近づくにつれて徐々にラッパ状に広がり、流入側端面１４になだらかに連続している。そして、第一流路４０の底部４０ａ付近に、第一流路４０の軸方向に対して直角に交差する十字形の第二流路４２が、小径部３８の側周面に貫通して形成されている。
【００１４】
この実施形態の水道用節水具３６の取り付け方法は、上記実施の形態と同様である。そして、水栓２４のハンドル２８を操作して水導水を蛇口２６に流すと、水道水は水道用節水具３６の第一流路４０に流れ、次に第二流路４２に分岐されて流れ、第二流路４２が開口された小径部３８の側面に流れ出る。そして、水道用節水具３６の小径部３８の側面と吐出管３０内周面との間を通過し、さらに吐出管３０を通過して流れ落ちる。
【００１５】
この実施形態の水道用節水具３６によれば、第一流路４０に対してなめらかに水道水が流入し、上記実施の形態と同様の効果を有するものである。さらに、第一流路４０と第二流路４２が直交して設けられ、節水効果が高い。
【００１６】
なお、この発明の水道用節水具は、上記各実施形態に限定されるものではなく、節水部の太さや流路の太さ、形状等自由に変更可能である。
【００１７】
【発明の効果】
この発明の水道用節水具は、簡単に水栓に取り付けることができ、水道水の流量を抑制し節水することができる。そして、整流効果があるため振動や騒音が少なく、快適に使用することができる。
【図面の簡単な説明】
【図１】  この発明の第一実施形態の水道用節水具の使用状態を示す正面図である。
【図２】  この実施形態の水道用節水具の縦断面図である。
【図３】  この実施形態の水道用節水具の平面図である。
【図４】  この実施形態の水道用節水具の使用状態を示す縦断面図である。
【図５】  他の実施形態の水道用節水具の縦断面図である。
【図６】  他の実施形態の水道用節水具の平面図である。
【符号の説明】
１０  水道用節水具
１２  節水部
１４  流入側端面
１６  フランジ部
１８  流出側端面
２０  第一流路
２２  第二流路
２４  水栓
２６  蛇口
２８  ハンドル
３０  吐出管
【図１】
0003720708.tif 000002
【図２】
0003720708.tif 000003
【図３】
0003720708.tif 000004
【図４】
0003720708.tif 000005
【図５】
0003720708.tif 000006
【図６】
0003720708.tif 000007